【手続補正書】
【提出日】平成26年2月21日(2014.2.21)
【手続補正１】
【補正対象書類名】特許請求の範囲
【補正対象項目名】全文
【補正方法】変更
【補正の内容】
【特許請求の範囲】
【請求項１】
分岐部と、前記分岐部から分岐する３つの管状部を備え、Ｙ字状に樹脂から形成される分岐管本体と、
３つの前記管状部の中の１つの軸が前記分岐管本体に突当たる第１の位置及び前記第１の位置の近傍で前記分岐管本体より内周側に設けられ、金属の内表面を形成する第１の金属内表面部と、
前記第１の金属内表面部以外の部分に設けられ、前記分岐管本体により内表面が形成される本体内表面部と、
を具備する内視鏡用分岐管。
【請求項２】
前記分岐管本体は、３つの前記管状部として第１の管状部、第２の管状部及び第３の管状部を備え、
前記分岐管本体では、前記第１の管状部と前記第２の管状部との間の角度が鋭角に形成される、
請求項１の内視鏡用分岐管。
【請求項３】
前記第１の位置は、前記第１の管状部の軸である第１の軸が前記分岐管本体に突当たる位置であり、
前記内視鏡用分岐管は、前記第２の管状部の軸である第２の軸が前記分岐管本体に突当たる第２の位置及び前記第２の位置の近傍で前記分岐管本体より内周側に設けられ、金属の内表面を形成する第２の金属内表面部をさらに具備する、
請求項２の内視鏡用分岐管。
【請求項４】
前記本体内表面部は、前記第１の金属内表面部及び前記第２の金属内表面部以外の部分において、前記分岐管本体により内表面を形成する、請求項３の内視鏡用分岐管。
【請求項５】
前記分岐管本体の前記第３の管状部に接続され、金属から形成される円筒部をさらに具備する、請求項２の内視鏡用分岐管。
【請求項６】
前記円筒部から前記第３の管状部の内部、前記分岐部の内部を順に通って前記第２の管状部の内部まで延設され、延設される部位に前記第１の金属内表面部を形成する第１の曲板部をさらに具備する、請求項５の内視鏡用分岐管。
【請求項７】
前記円筒部の軸回りに前記第１の曲板部とは離れた状態で、前記円筒部から前記第３の管状部の内部、前記分岐部の内部を順に通って前記第１の管状部の内部まで延設され、延設される部位に前記第１の金属内表面部とは別の第２の金属内表面部を形成する第２の曲板部をさらに具備する、請求項６の内視鏡用分岐管。
【請求項８】
前記第１の管状部の内部のから前記分岐部の内部を通って前記第２の管状部の内部まで延設され、延設される部位に前記第１の金属内表面部及び前記第２の金属内表面部とは別の第３の金属内表面部を形成する第３の曲板部をさらに具備する、請求項７の内視鏡用分岐管。
【請求項９】
円筒部と、前記円筒部から延設される第１の曲板部と、前記円筒部の軸回りに前記第１の曲板部とは離れた状態で前記円筒部から延設される第２の曲板部とを金属から形成することと、
前記第２の曲板部に沿って第１のピンを、前記第１の曲板部に沿って第２のピンを、前記円筒部から第３のピンを、それぞれ挿入し、それぞれの前記ピン同士の間、及び、それぞれの前記ピンと前記第１の曲板部又は前記第２の曲板部との間が隙間なく当接する状態を形成することと、
樹脂が前記第１の曲板部及び前記第２の曲板部の内周側へ流入しない状態で、３つの前記ピン、前記第１の曲板部及び前記第２の曲板部に前記樹脂を被覆し、分岐部と、前記分岐部から分岐する第１の管状部、第２の管状部及び第３の管状部とを備える分岐管本体を、前記第１の管状部と前記第２の管状部との間の角度が鋭角のＹ字状に前記樹脂から形成することと、
３つの前記ピンを抜脱することと、
を具備する、内視鏡用分岐管の製造方法。
【請求項１０】
前記分岐管本体が形成された際に、前記円筒部が前記第３の管状部に接続される状態に、前記円筒部の形成及び前記樹脂の被覆時の前記円筒部の配置が行われる、請求項９の製造方法。
【請求項１１】
前記分岐管本体が形成された際に、前記第１の曲板部が前記円筒部から前記第３の管状部の内部、前記分岐部の内部を順に通って前記第２の管状部の内部まで延設され、延設される部位に金属の内表面を形成する状態に、前記第１の曲板部の形成及び前記樹脂の被覆時の前記第１の曲板部の配置が行われ、
前記分岐管本体が形成された際に、前記第２の曲板部が前記円筒部から前記第３の管状部の内部、前記分岐部の内部を順に通って前記第１の管状部の内部まで延設され、延設される部位に金属の内表面を形成する状態に、前記第２の曲板部の形成及び前記樹脂の被覆時の前記第２の曲板部の配置が行われる、
請求項９の製造方法。
【請求項１２】
円筒部と、前記円筒部から延設される第１の曲板部と、前記円筒部の軸回りに前記第１の曲板部とは離れた状態で前記円筒部から延設される第２の曲板部とを金属から形成することと、
分岐部と、前記分岐部から分岐する第１の管状部、第２の管状部及び第３の管状部とを備える分岐管本体を、前記第１の管状部と前記第２の管状部との間の角度が鋭角のＹ字状に樹脂から形成することと、
前記円筒部が前記第３の管状部に接続されるまで、前記第３の管状部から前記第１の曲板部及び前記第２の曲板部を前記分岐管本体の内部に撓ませた状態で挿入することと、
を具備する、内視鏡用分岐管の製造方法。
【請求項１３】
前記円筒部が前記第３の管状部に接続された際に、前記第１の曲板部が前記円筒部から前記第３の管状部の内部、前記分岐部の内部を順に通って前記第２の管状部の内部まで延設され、延設される部位に金属の内表面を形成する状態に、前記第１の曲板部の形成及び前記分岐管本体への挿入が行われ、
前記円筒部が前記第３の管状部に接続された際に、前記第２の曲板部が前記円筒部から前記第３の管状部の内部、前記分岐部の内部を順に通って前記第２の管状部の内部まで延設され、延設される部位に金属の内表面を形成する状態に、前記第２の曲板部の形成及び前記分岐管本体への挿入が行われる、
請求項１２の製造方法。
【手続補正２】
【補正対象書類名】明細書
【補正対象項目名】０００８
【補正方法】変更
【補正の内容】
【０００８】
上記目的を達成するために、本発明のある態様では、分岐部と、前記分岐部から分岐する３つの管状部を備え、Ｙ字状に樹脂から形成される分岐管本体と、３つの前記管状部の中の１つの軸が前記分岐管本体に突当たる第１の位置及び前記第１の位置の近傍で前記分岐管本体より内周側に設けられ、金属の内表面を形成する第１の金属内表面部と、前記第１の金属内表面部以外の部分に設けられ、前記分岐管本体により内表面が形成される本体内表面部と、を備える内視鏡用分岐管を提供する。
本発明の別のある態様では、円筒部と、前記円筒部から延設される第１の曲板部と、前記円筒部の軸回りに前記第１の曲板部とは離れた状態で前記円筒部から延設される第２の曲板部とを金属から形成することと、前記第２の曲板部に沿って第１のピンを、前記第１の曲板部に沿って第２のピンを、前記円筒部から第３のピンを、それぞれ挿入し、それぞれの前記ピン同士の間、及び、それぞれの前記ピンと前記第１の曲板部又は前記第２の曲板部との間が隙間なく当接する状態を形成することと、樹脂が前記第１の曲板部及び前記第２の曲板部の内周側へ流入しない状態で、３つの前記ピン、前記第１の曲板部及び前記第２の曲板部に前記樹脂を被覆し、分岐部と、前記分岐部から分岐する第１の管状部、第２の管状部及び第３の管状部とを備える分岐管本体を、前記第１の管状部と前記第２の管状部との間の角度が鋭角のＹ字状に前記樹脂から形成することと、３つの前記ピンを抜脱することと、を備える、内視鏡用分岐管の製造方法を提供する。
本発明の別のある態様では、円筒部と、前記円筒部から延設される第１の曲板部と、前記円筒部の軸回りに前記第１の曲板部とは離れた状態で前記円筒部から延設される第２の曲板部とを金属から形成することと、分岐部と、前記分岐部から分岐する第１の管状部、第２の管状部及び第３の管状部とを備える分岐管本体を、前記第１の管状部と前記第２の管状部との間の角度が鋭角のＹ字状に樹脂から形成することと、前記円筒部が前記第３の管状部に接続されるまで、前記第３の管状部から前記第１の曲板部及び前記第２の曲板部を前記分岐管本体の内部に撓ませた状態で挿入することと、を備える、内視鏡用分岐管の製造方法を提供する。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】